(57)【要約】【課題】チャンネルベース上に複数の筺体を設置する場合の据付時間を短縮し、据付後のアンカーボルトの締付チェックが容易に出来る筺体の固定装置を提供する。【解決手段】チャンネルベース２上に複数の筺体１を並設し、据付面３に埋め込まれたアンカーボルト４によって、チャンネルベース２および筺体１を固定する固定装置において、チャンネルベース２の底面を貫通するアンカーボルト４に、高ナット６の下端部をチャンネルベース２内で螺合し、筺体１の底面およびチャンネルベース２の上面を貫通するボルト５を高ナット６の上端部に螺合する。【選択図】        図１
2005026460.tif 000002
【特許請求の範囲】
【請求項１】
チャンネルベース上に複数の筺体を並設し、据付面に埋め込まれたアンカーボルトによって、前記チャンネルベースおよび前記筺体を固定する固定装置において、
前記チャンネルベースの底面を貫通する前記アンカーボルトに、高ナットの下端部を前記チャンネルベース内で螺合し、
前記筺体の底面および前記チャンネルベースの上面を貫通するボルトを前記高ナットの上端部に螺合した、
ことを特徴とする筺体の固定装置。
【発明の詳細な説明】
【０００１】
【発明の属する技術分野】
本発明は、電気設備などの筺体の固定装置に関する。
【０００２】
【従来の技術】
一般に、配電盤や制御盤など各種の電気設備の筺体は、据付面に配置されたチャンネルベース上に設置される。この筺体の固定装置としては、アンカーボルトとチャンネルベースおよびチャンネルベースと筺体を、それぞれ別の位置で締め付けて固定するものがある。この固定装置においては、アンカーボルトとチャンネルベースを締め付けた後、筺体をチャンネルベース上に配置してしまうと、アンカーボルトの締付チェックは困難となり、締め付けがゆるんでいた場合には、筺体を移動させて、締め付けを行う必要がある。
【０００３】
このため、図４に示すように、チャンネルベースと筺体をアンカーボルトに共締めする筺体の固定装置がある。（例えば特許文献１参照）
図４において、中抜きの直方体形状で周囲の枠部に複数の貫通穴１５ａ〜１５ｄを有するチャンネルベース１２と、チャンネルベース１２の貫通孔１５ａ〜１５ｄに対応する底面位置に複数の貫通孔１４ａ，１４ｂを有する盤本体である筺体１１と、一端側を据付面内に埋め込み、他端側を据付面上へ突出し、突出部分に雄ねじを形成した複数のアンカーボルト１３ａ，１３ｂと、チャンネルベース１２の貫通穴１５ａ〜１５ｄと筺体１１の貫通孔１４ａ，１４ｂとを貫くアンカーボルト１３ａ，１３ｂに螺合するナット１６ａ，１６ｂとを有しており、チャンネルベース１２と筺体１１がアンカーボルト１３ａ，１３ｂに共締めされている。
【０００４】
【特許文献１】
特開平１１−１５０３７６号公報
【０００５】
【発明が解決しようとする課題】
上記従来の筺体の固定装置において、チャンネルベース１２上に１つの筺体１１を設置する場合には、問題はないが、複数の筺体１１を設置する場合には、次のような課題が生ずる。
【０００６】
すなわち、チャンネルベース１２上に複数の筺体１１を設置する場合には、一般に、予めチャンネルベース１２を設置し、その上に複数の筺体１１を順次降ろし、チャンネルベース１２上をずらしながら、所定の位置に移動させて配置している。ところが、従来の筺体の固定装置においては、アンカーボルト１３ａ，１３ｂがチャンネルベース１２の上面から突出しているので、筺体１１をチャンネルベース１２上でずらして移動させる際の障害となる。このため、筺体１１を一箱ごとに、チャンネルベース１２上の所定の位置に正確に降ろして設置せざるを得ず、据付に時間を要するという欠点がある。
【０００７】
本発明は、上記のような課題を解決するためになされたもので、筺体の据付工数を削減出来る筺体の固定装置を提供する事を目的とする。
【０００８】
【課題を解決するための手段】
本発明では、チャンネルベース上に複数の筺体を並設し、据付面に埋め込まれたアンカーボルトによって、前記チャンネルベースおよび前記筺体を固定する固定装置において、前記チャンネルベースの底面を貫通する前記アンカーボルトに、高ナットの下端部を前記チャンネルベース内で螺合し、前記筺体の底面および前記チャンネルベースの上面を貫通するボルトを前記高ナットの上端部に螺合する。
【０００９】
【発明の実施の形態】
図１は本発明の筺体の固定装置の実施の形態の一例を示すものである。また、図２は筺体の据付工程の概念図であり、図３は筺体の据付工程の流れ図である。
図１および図２において、複数のアンカーボルト４はコンクリートなどの据付面３に一端側が埋設され、他端側が据付面３上に突出されており、その他端側である先端部には、雄ねじが形成される。中抜きの直方体形状に形成されたチャンネルベース２の底面には、アンカーボルト４が貫通する貫通孔２ａが形成されるとともに、上面には、雌ねじが形成された高ナット６の外径よりも大きい貫通孔２ｂが形成される。アンカーボルト４の雄ねじには、高ナット６の下端部がチャンネルベース２内で螺合される。
【００１０】
配電盤や制御盤など各種の電気設備の筺体１の底面には、チャンネルベース２の貫通孔２ａ，２ｂに対応する位置に、貫通孔１ａが形成される。複数の筺体１はチャンネルベース２上に載置され、筺体１の貫通孔１ａおよびチャンネルベース２の貫通孔２ｂを貫通するボルト５が高ナット６の上端部の雌ねじに螺合することにより、固定される。
【００１１】
次に、筺体の固定方法について説明する。
先ず、据付面３から突出しているアンカーボルト４の先端部を、チャンネルベース２の貫通孔２ａに挿通させながら、チャンネルベース２を据付面３に設置する。そして、高ナット６をチャンネルベース２の貫通孔２ｂから挿入し、アンカーボルト４の先端部に高ナット６の下端部を螺合して締め付け、チャンネルベース２を固定する。（工程Ｓ１）
【００１２】
次に、チャンネルベース２上に複数の筺体１を順次降ろし、チャンネルベース２上をずらしながら、筺体１の貫通孔１ａを高ナット６の上端部の位置に合わせるように移動して、設置する。そして、筺体１の貫通孔１ａおよびチャンネルベース２の貫通孔２ｂを貫通して、ボルト５を高ナット６の上端部の雌ねじに螺合して締め付けることにより、筺体１をチャンネルベース２に固定する。（工程Ｓ２）
アンカーボルト４の締め付けチェックを行う場合には、ボルト５を締め付ければ、同時に高ナット６もアンカーボルト４に締め付けられる。（工程Ｓ３）
【００１３】
【発明の効果】
本発明によれば、アンカーボルトがチャンネルベースの上面から突出していないので、筺体をチャンネルベース上でずらして移動させることができ、筺体を一箱ごとに、チャンネルベース上の所定の位置に正確に降ろして設置する必要がなく、据付時間を短縮することができる。
【００１４】
また、アンカーボルトの締め付けチェックを行う場合には、ボルトを締め付ければ、同時に高ナットもアンカーボルトに締め付けられるので、アンカーボルトの締め付けチェックを容易に行うことができる。
【図面の簡単な説明】
【図１】本発明の筺体の固定装置の実施の形態の一例を示す図である。
【図２】図１に示した筺体の固定装置の据付工程の一工程を説明する概念図である。
【図３】本発明の筺体据付方法および締付点検の工程の流れ図である。
【図４】従来の筺体の固定装置の一例を示す図である。
【符号の説明】
１                筺体
１ａ              貫通孔
２                チャンネルベース
２ａ，２ｂ        貫通孔
３                据付面
４                アンカーボルト
５                ボルト
６                高ナット
【図１】
2005026460.tif 000003
【図２】
2005026460.tif 000004
【図３】
2005026460.tif 000005
【図４】
2005026460.tif 000006